(57)【要約】緯方向ストリップ（143）と、リア側を横切りボディの重心を通過して延びる軸上に配置された、重心ロケータ構造（142）とを含み得る、リア側に収容された重心インジケータ機構（141）を備える、ゴルフクラブヘッド（100）、ゴルフクラブ、およびゴルフヘッドとクラブのセットを提供する。重心ロケータ構造は、ゴルフクラブヘッド上に固定されてもよく、または変更可能であってもよい。さらには、重心ロケータ構造の位置がゴルフクラブヘッドごとに変わる場合に、重心インジケータ機構がセット中のクラブごとに変わるゴルフクラブヘッドのセットを提供する。ゴルフクラブヘッドは、シャフトおよびグリップならびに他の特徴に連結されてゴルフクラブまたはゴルフクラブセットを形成し得る。2013505773.tif 000003
2013505773.tif 000002
【特許請求の範囲】
【請求項１】
トウ端、ヒール端、トップ、ボトム、フロント側およびリア側を含むボディ；
リア側に収容された重心インジケータであって、緯方向ストリップと、リア側を横切りボディの重心を通過して延びる軸上に配置された重心ロケータ構造とを含む、重心インジケータ
を含む、ゴルフクラブヘッド。
【請求項２】
緯方向ストリップが錠剤形である、請求項1記載のゴルフクラブヘッド。
【請求項３】
緯方向ストリップがゴルフクラブヘッドのトップと平行に走る、請求項1記載のゴルフクラブヘッド。
【請求項４】
緯方向ストリップがゴルフクラブヘッドのボトムに対して斜めである、請求項3記載のゴルフクラブヘッド。
【請求項５】
リア表面にキャビティをさらに含み、重心ロケータ構造が該キャビティ中に収容されている、請求項2記載のゴルフクラブヘッド。
【請求項６】
重心ロケータ構造が円板形である、請求項5記載のゴルフクラブヘッド。
【請求項７】
重心ロケータ構造が、緯方向ストリップの最下部分から該緯方向ストリップの最上部分までの距離に等しい直径を有する、請求項6記載のゴルフクラブヘッド。
【請求項８】
重心ロケータ構造の複数の部分がゴルフクラブヘッドのリア側から異なる距離だけ延びるように、重心ロケータ構造が異なる厚さを有する、請求項6記載のゴルフクラブヘッド。
【請求項９】
トウ端、ヒール端、トップ、ボトム、フロント側およびリア側を含むボディ；ならびに
リア側に収容された重心インジケータであって、緯方向ストリップと、ゴルフクラブヘッドのボディの中心の位置の視覚的指示を提供するように配置された重心ロケータ構造とを含む、重心インジケータ
を含む、ゴルフクラブヘッドであって、
重心ロケータ構造が、ゴルフクラブヘッドのボディに対して位置を変更可能であるように構成されている、ゴルフクラブヘッド。
【請求項１０】
重心ロケータ構造が直線方向に前後に移動するように構成されている、請求項9記載のゴルフクラブヘッド。
【請求項１１】
重心ロケータ構造が、緯方向ストリップ内で該緯方向ストリップの長手に沿って滑動可能であるように構成されている、請求項10記載のゴルフクラブヘッド。
【請求項１２】
重心ロケータ構造が緯方向ストリップに抵抗接続されている、請求項11記載のゴルフクラブヘッド。
【請求項１３】
重心ロケータ構造のガイドされた移動を容易にするために、重心ロケータ構造が、緯方向ストリップの上内縁および下内縁の一つを収容するように構成された溝付きの縁を含む、請求項11記載のゴルフクラブヘッド。
【請求項１４】
重心ロケータ構造が緯方向ストリップ内に完全に収容されている、請求項11記載のゴルフクラブヘッド。
【請求項１５】
重心ロケータ構造が緯方向ストリップの両端の一方に配置された場合に、緯方向ストリップの一方の端全体が重心ロケータ構造によって覆われるように、緯方向ストリップの両端が、重心ロケータ構造に対して形状およびサイズにおいて相補的であるように構成されている、請求項11記載のゴルフクラブヘッド。
【請求項１６】
重心ロケータ構造の露出面が、反射面、パターン付き面および溝付き面の一つを含む視認性を増強する特徴を含むように、重心ロケータ構造が構成されている、請求項9記載のゴルフクラブヘッド。
【請求項１７】
第一、第二および第三のアイアンタイプゴルフクラブヘッドを含むゴルフクラブヘッドのセットであって、第一、第二および第三のアイアンタイプゴルフクラブヘッドそれぞれが、アイアンタイプゴルフクラブヘッドのリア側に収容された別個の重心インジケータを含む、ゴルフクラブヘッドのセット。
【請求項１８】
第一、第二および第三のアイアンタイプゴルフクラブヘッドそれぞれの重心インジケータが重心ロケータ構造を含み、かつ重心インジケータが、第一、第二および第三のアイアンタイプゴルフクラブヘッドの間で、重心ロケータ構造の位置に関して異なっている、請求項17記載のゴルフクラブヘッドのセット。
【請求項１９】
第一、第二および第三のアイアンタイプゴルフクラブヘッドそれぞれが、シャフトの反対側端に収容されたグリップを備えるシャフトに連結されている、請求項17記載のゴルフクラブヘッドのセット。
【請求項２０】
第四、第五、第六、第七および第八のアイアンタイプゴルフクラブヘッドをさらに含み、第一〜第八のアイアンタイプゴルフクラブヘッドそれぞれが、異なる重心を有し、かつ別個の重心インジケータを有する、請求項17記載のゴルフクラブヘッドのセット。
【請求項２１】
第一〜第八のアイアンタイプゴルフクラブヘッドそれぞれの重心インジケータが、緯方向ストリップと重心ロケータディスクとを含み、第一〜第八のアイアンタイプゴルフクラブヘッドの重心インジケータが、重心ロケータディスクそれぞれの位置によって変更される、請求項20記載のゴルフクラブヘッドのセット。
【請求項２２】
第一〜第八のアイアンタイプゴルフクラブヘッドそれぞれにおける重心ロケータディスクが、ゴルフクラブヘッドのリア側において、リア側を横切りゴルフクラブヘッドの重心を通過して延びる軸上に配置されている、請求項20記載のゴルフクラブヘッドのセット。
【発明の詳細な説明】
【技術分野】
【０００１】
開示の分野
本開示は、ゴルフクラブ、より具体的には、重心に関する視覚的インジケータを有するゴルフクラブヘッドに関する。
【背景技術】
【０００２】
背景
ゴルファーの、アラインメントならびにゴルファーのバックスイングおよびダウンスイングを含むスイングは、多くの場合、ゴルフコース上でのゴルファーのパフォーマンスに関連する。ゴルフクラブを一貫して好ましいやり方でスイングすることができるゴルファーは、ゴルフボールをより遠く、よりまっすぐ、より一貫したやり方で打ち得る。ゴルファーのスイングが、好ましいスイング方向および移動経路に関連する特定の属性を有する場合、精度、制御および方法を改善し得る。また同様に、ゴルフクラブヘッドとゴルフボールとの好ましいアラインメントが、好ましいゴルファーパフォーマンスを促進し得る。しかし多くのゴルファーは、特定の好ましいスイング方向および移動経路にしたがってゴルフクラブをスイングすることに困難を感じている。同様にゴルファーはまた、ゴルフクラブヘッドをアラインメントして、所与の属性を有するゴルフクラブヘッドに関する好ましいアラインメントを達成することに困難を感じている。ゴルフクラブヘッドを含むゴルフクラブの属性のさらなる理解を有するゴルファーは、距離、スピン、方向、弾道および経路を含む好ましいやり方でゴルフボールを打つことによってゴルフコース上で好ましいパフォーマンスを達成するために、クラブを好ましいやり方でスイングしゴルフボールを打つことができる。
【発明の概要】
【０００３】
概要
本発明の局面は、リア側に収容された重心インジケータ機構を有するゴルフクラブヘッドに関する。特定の構成における重心インジケータ機構は、緯方向ストリップ、および／または、リア側を横切りボディの重心を通過して延びる軸上に配置された、重心ロケータ構造を含む。特定の構成において重心ロケータ構造は、その特定のゴルフクラブヘッドに対して固定されるが、一方他の構成において、重心ロケータ構造は、ゴルフクラブヘッドに対し、ある位置において変更可能である。重心ロケータ構造は、緯方向ストリップ内に収容されてもよい。緯方向ストリップは、任意の多様な構成および形状を有してもよく、緯方向ストリップの長手がゴルフクラブヘッドの上面と平行に走る向きを含む、多様な方向に向けられてもよい。緯方向ストリップは、錠剤形または様々な他の形状であり得る。変更可能な構成において、重心ロケータは、多様な位置の間を前後するガイドされた移動を可能にするための多様な機構を使用して動かされてもよい。また、他の構成を利用してもよく、それらが記載される。
【０００４】
本発明の他の局面は、重心ロケータ構造がセット中の特定のクラブの様々な位置において緯方向ストリップ内に収容された固定位置を有する、重心インジケータ機構を備えるゴルフクラブヘッドのセットに関する。セット中のロングアイアンからミドルアイアン、さらにショートアイアンへと移るにつれ、各特定のゴルフクラブ上の重心ロケータ構造は、最長の（最小番手の）ロングアイアンの場合の、ソールまたはボトムヒール側端から、最短の（最大番手またはピッチングウェッジ）のショートアイアンの場合の、よりトップかつトウ端に近い位置まで移動する、別個の位置に収容される。セット中の各ゴルフクラブヘッドは、記載されたものと一致する別個の位置に置かれる重心を有するため、重心ロケータ構造のこの異なる位置は、ゴルフクラブヘッドの重心位置に応じて直接的に変化する。
【０００５】
本発明のさらなる局面は、別個に形成され構成された多様な重心インジケータ機構に関する。加えて本発明のさらなる局面は、ゴルフクラブまたはゴルフクラブのセットとして、シャフトおよびグリップに連結されたものとして開示される任意のゴルフクラブヘッドに関する。
【図面の簡単な説明】
【０００６】
前記発明の概要および以下の発明の詳細な説明は、添付図面と合わせて読むと、より理解されるであろう。
【０００７】
【図１Ａ】ゴルフクラブヘッドのそれぞれ例示的な、フロント、リア、ヒール端およびトウ端から見た図である。
【図１Ｂ】ゴルフクラブヘッドのそれぞれ例示的な、フロント、リア、ヒール端およびトウ端から見た図である。
【図１Ｃ】ゴルフクラブヘッドのそれぞれ例示的な、フロント、リア、ヒール端およびトウ端から見た図である。
【図１Ｄ】ゴルフクラブヘッドのそれぞれ例示的な、フロント、リア、ヒール端およびトウ端から見た図である。
【図２】図1A〜1Dのゴルフクラブヘッドに類似したゴルフクラブヘッドを有するゴルフクラブの例示的な、リアから見た図である。
【図３】図3A〜3Cは、重心インジケータ機構を有するゴルフクラブヘッドの例示的な、リアから見た図である。
【図４】クラブのセット中の様々なゴルフクラブヘッドの重心の様々な位置の例示的な、リアから見た略図である。
【図５】図5A〜5Bは、変更可能な重心インジケータ機構を有する様々なゴルフクラブヘッドの例示的なヒール端斜視図である。
【図６】変更可能な重心インジケータ機構を有するゴルフクラブヘッドの例示的な、リアから見た図である。
【図７】図7A〜7Bは、変更可能な重心インジケータ機構を有するゴルフクラブヘッドのそれぞれ例示的な、リアから見た図およびヒール端断面図である。
【図８】図8A〜8Bは、変更可能な重心インジケータ機構を有するゴルフクラブヘッドの別の様相のそれぞれ例示的な、リアから見た図およびヒール端断面図である。
【図９】図9A〜9Bは、変更可能な重心インジケータ機構を有するゴルフクラブヘッドのさらに別の様相のそれぞれ例示的な、リアから見た図およびヒール端断面図である。
【図１０】図10A〜10Cは、重心インジケータ機構を有するゴルフクラブヘッドの例示的な、リアから見た図である。
【図１１】図11A〜11Cは、重心インジケータ機構を有するゴルフクラブヘッドの例示的な、リアから見た図である。
【図１２】ゴルフクラブのセットの例示的な、リアから見た図である。
【発明を実施するための形態】
【０００８】
詳細な説明
様々な態様に関する以下の詳細な説明においては、本発明が実施され得る例示的様相を示す添付図面を参照する。本発明の範囲を逸脱することなく、他の態様が利用され、改変が加えられる場合があることが理解されよう。さらに、本明細書において使用される様々な用語が以下に定義される。
【０００９】
以下、本明細書に記載されたものに関する明瞭さおよび理解を容易にするために、本開示の残り部分を通して使用されるいくつかの用語を例示的に説明する。重心の概念は当業者には周知であり、認識されている。たとえば、重心は、ボディ中またはボディ付近の点であると説明し得る。この点においては、ボディの重力ポテンシャルエネルギーが、この点に位置する同じ質量の一つの質点の重力ポテンシャルエネルギーと等しく、この点を通じてボディの複数の構成質点に対する重力の合力が作用する。重心はしばしば質量中心に関連する場合があり、全体的に一様な重力場において参照されるかまたは扱われる場合、両者は同じである。実際には、重心と質量中心は、地球の実質的に一様な重力場において考える場合、実質的に同じとみなし得る。したがって、重力場が一様であるならば、本明細書における、重心を参照する特性、性質、効果および他の詳細の記載は、質量中心にも当てはまると考えられる。
【００１０】
様々なゴルフクラブヘッドおよびゴルフクラブは、ゴルファーがゴルフボールを様々な距離、飛行経路および弾道で打つことを可能にするように設計され、成形され、サイズ決めされ、他のやり方で構成され、形成されているため、クラブは、様々な位置に重心を有し得る。同様に、特定の構成において、ゴルフクラブヘッドの特徴または部分の移動がゴルフクラブヘッドの重心をゴルフクラブヘッドに対して異なる位置に配するようにクラブが構成されることが望ましい場合がある。各ゴルフクラブヘッドボディが異なる重心を有するゴルフクラブのセットにおいては、この重心の位置のインジケータとして働く構造もまた、セット中の各ゴルフクラブヘッドの異なる重心位置を反映するために、クラブヘッドボディの位置（および／または向き）において変わる。たとえば、ピッチングウェッジのためのゴルフクラブヘッドの重心は、5番アイアンのためのゴルフクラブヘッドの重心とは異なる場合があるため、重心ロケータ構造は、5番アイアン上の重心ロケータ構造によって指示される位置とは異なる位置を指示する。
【００１１】
本開示のいくつかの局面にしたがって、「ロング」アイアンタイプゴルフクラブ（すなわち、相対的に低いロフト角度を有するアイアン、たとえば3番アイアン）の任意の重心インジケータ機構を含むゴルフクラブヘッドは、よりクラブヘッドボディのヒールに近い（すなわちホーゼルに近い）ゴルフクラブヘッドボディの重心を提供するように成形され得る。そのような構成は、ホーゼルからゴルフクラブヘッドボディの重心までの距離を減らす。重心がよりホーゼルに近いため、ゴルファーはゴルフクラブヘッドボディをより速く、より容易に回転させることができる（たとえば、開いたクラブフェース位置から閉じたクラブフェース位置まで）。したがってそのような構成は、ゴルファーがゴルフボールに「ドロー」弾道を付与するのを支援することができる。「ドロー」とは、ボールが打たれた側とは反対の方向にゴルファーがボールをカーブさせるゴルフショットである。たとえば右利きのゴルファーの場合、ゴルフボールは「右から左」の弾道を示す。「ドロー」の場合のボールの飛行はバックスピンがより少なく、したがって、ボールはひとたび着地すると、より遠くへ転がる傾向にある。また「ドロー」は、より低いボールの飛行を示す傾向にある。「ドロー」のこれらの局面（すなわち、より少ないバックスピン、より遠くまでのロールおよびより低いボールの飛行）は、ゴルファーによって打たれたときゴルフボールが移動する距離を伸ばす傾向にある。したがって、ゴルフクラブヘッドボディの重心をヒールの近くに提供すると、ゴルフショットの距離を伸ばすことができ、それが「ロング」アイアンにおいて特に有用であり得る。
【００１２】
本開示のいくつかの局面にしたがって、「ショート」アイアンタイプゴルフクラブ（すなわち、相対的に高いロフト角度を有するアイアン、たとえば9番アイアン、ウェッジなど）の任意の重心インジケータ機構を含むゴルフクラブヘッドは、よりクラブヘッドのトウに近いゴルフクラブヘッドの重心を提供するように成形され得る。そのような構成は、ホーゼルからゴルフクラブヘッドの重心までの距離を増す。重心がよりホーゼルから離れているため、ゴルファーは、ゴルフクラブヘッドをそれほど速く、または容易に回転させることができない場合がある（たとえば、開いたクラブフェース位置から閉じたクラブフェース位置まで）。したがってゴルフショットの安定性が増す場合がある。したがってそのような構成は、ゴルファーがゴルフボールに「フェード」弾道を付与するのを支援することができる。「フェード」とは、ボールが打たれた側と一致する方向にゴルファーがボールをカーブさせるゴルフショットである。たとえば右利きのゴルファーの場合、ゴルフボールは「左から右」の弾道を示す。「フェード」の場合のボールの飛行は、バックスピンがより多く、したがって、ボールはひとたび着地すると、あまり転がらない傾向にある。また「フェード」は、より高いボールの飛行を示す傾向にある。「フェード」のこれらの局面（すなわち、より多いバックスピン、より少ないロールおよびより高いボールの飛行）は、ボールの転がりを止める傾向にある。したがってゴルフクラブヘッドの重心をトウの近くに提供すると、ボールがグリーンに着地したときゴルファーがボールの転がりを止めるのを支援することができ、それが「ショート」アイアンにおいて特に有用であり得る。
【００１３】
本開示のいくつかの他の局面にしたがって、「ミドル」アイアンタイプゴルフクラブ（すなわち、相対的に中間的なロフト角度を有するアイアン、たとえば5番アイアン）の任意の重心インジケータ機構を含むゴルフクラブヘッドは、概してクラブヘッドの中心に近いゴルフクラブヘッドの重心を提供するように成形され得る。そのような構成は、ホーゼルからゴルフクラブヘッドの重心までの相対的に中間的な距離を作り出すことができる。重心がホーゼルから相対的に中間的な距離にある（たとえば、ゴルフクラブヘッドボディの中心に近い）ため、「ミドル」アイアンは、上記「ロング」および「ショート」アイアンそれぞれからのいくつかの特性（たとえば、より遠くまでの距離およびより良好なボールコントロール）を有する場合があるが、同じ程度には有しない。
【００１４】
本開示のさらなる局面は、たとえば上記タイプのゴルフクラブヘッドを含むアイアンタイプゴルフクラブ構造に関する。このようなアイアンタイプゴルフクラブ構造はさらに、クラブヘッドに取り付けられた（場合によっては、別個のホーゼル部材またはクラブヘッドおよび／またはシャフトの一つまたは複数の一部として提供されたホーゼル部材を介して）シャフト部材、シャフト部材に取り付けられたグリップまたはハンドル部材、さらなるウェイト部材、メダルなどの一つまたは複数を含む場合がある。
【００１５】
本開示のなおさらなる局面は、本開示の例のアイアンタイプゴルフクラブヘッドおよびアイアンタイプゴルフクラブ構造を製造する方法に関する。このような方法は、たとえば、以下の工程、すなわち、上記様々なタイプのゴルフクラブヘッドボディ（上記様々な構造、特徴および／または様相のいずれかまたはすべてを含む）を、たとえばゴルフクラブヘッドボディを製造または他のやり方で構築すること、ゴルフクラブヘッドボディを第三者供給源から得ることなどによって提供する工程、シャフト部材をゴルフクラブヘッドボディと係合させる工程、およびグリップ部材をシャフト部材と係合させる工程の一つまたは複数を、任意の所望の順序および／または組み合わせで含む場合がある。
【００１６】
さらには、重心位置をゴルファーに対して視覚的に明らかにするゴルフクラブヘッドは、好ましいアラインメント、スイング特性ならびにゴルフクラブおよびゴルフヘッドの関連の動きおよび使用の結果として、ゴルファーをパフォーマンスにおいて支援する。ゴルフクラブヘッド上に収容される特定の構造および機構が、ゴルフクラブヘッドボディの重心位置の視覚的指示を提供し得る。これらの特徴は、形状、サイズ、配置、位置、機能性、向き、配置および／または可変性において異なる場合がある。これらの特徴の実例を以下に記載する。
【００１７】
図1A〜1Dは、例示的なゴルフクラブヘッド100のそれぞれ概略の、フロント、リア、ヒール端およびトウ端から見た図である。図から明らかであるように、ゴルフクラブヘッドは、例示的に、トップ110、フロント面120、トウ端130、背面140、ヒール端150およびボトム（またはソール）160を含むものと考えられる場合がある。さらに、ゴルフクラブヘッド100は概して、とりわけシャフト190へのゴルフクラブヘッド100の接続を容易にするために形成されたホーゼル180を含む。ホーゼル180およびシャフト190は当技術分野において周知である。ホーゼル180は概してゴルフクラブヘッド100の残り部分とともに一つのボディ部材として形成される。
【００１８】
フロント面120は概して、ゴルフボールを打つために構成された打面125を収容する。打面125は、多様な特徴、構成、形状、面および細部のいずれをも含み得る。たとえば、打面125は、打面125がゴルフボールと衝突したときゴルフボールの所望の飛行を促進する一連の水平方向の溝を含んでもよい。所望のボールの飛行特性を達成するために、これらの溝の間隔、サイズ、深さ、形状、輪郭および向きは、クラブタイプ（および／または特定のクラブ製造者）に基づいて異なっていてもよい。また、打面125は、ゴルフボールを打つために打面が繰り返し使用されることを予想して、硬化材料で形成されていてもよく、材料を強化または硬化するために処理されていてもよい。硬化材料から穴、溝および波形ならびに周知である様々な他の打面材料、構造および構成に及ぶ、多くの他の形態の表面処理および装飾が打面125に組み込まれてもよい。図1A〜1Dに例示する例示的ゴルフクラブヘッド100は概して「アイアンタイプ」ゴルフクラブヘッドと呼ばれる場合がある。アイアンタイプゴルフヘッドは様々な構成および特徴を含み得る。いわゆる「アイアン」は、ゴルフクラブヘッド100の打面125、様々なリアの構成または輪郭、たとえばブレード、キャビティバックもしくはハニカムまたは他の構造的リア表面に起因する様々なロフトを有し得る。アイアンはまた、様々な材料、一般的には金属から形成されてもよい。ウェイト付け、硬さおよび他の所望の特性に依存して、様々な材料および構成が利用可能である。
【００１９】
同じく当技術分野において公知であるシャフト190は、長さ、材料組成、剛性、フレックスならびに他の性質および特徴において様々であり得る。好ましいシャフト剛性は、スキル、強さおよびスイング速度またはスイング経路を含むスイング特性に依存してゴルファーごとに異なる場合があるため、たとえば、フレックスおよび剛性は、特定のシャフトまたはシャフト材料を選択する際に考慮される場合がある実例となる特性のいくつかである。少なくとも一つの分類体系において、シャフトは、特定のフレックス特性に依存してエキストラスティッフ、スティッフ、レギュラー、シニアおよびレディースと分類され得る。他のゴルフクラブ特徴と同様に、シャフト190およびグリップ195は、多くの場合、ゴルファーの体格ならびにスイング特性および傾向に関する性質だけでなくゴルファーの「感触」に基づいて選択される。
【００２０】
シャフト190はまた、当技術分野において公知であり、かつ使用されている従来の材料を含む、適当なまたは任意の所望の材料、たとえばグラファイト系材料、複合材または他の非金属材料、鋼材料（ステンレス鋼を含む）、アルミニウム材料、他の金属合金材料、ポリマー材料、種々の材料の組み合わせなどから作られてもよい。また、グリップ195は、当技術分野において公知であり、かつ使用されている従来のやり方を含む任意の適当なまたは所望のやり方で、たとえば、接着剤またはセメントを使用して、溶接、はんだ付け、ろう付けなどによって、機械的コネクタ（たとえばねじ、保定要素など）を介してなど、シャフト190に取り付けられる、それと係合する、および／またはそれから延びるなどしてよい。別の例として、必要に応じて、グリップは、シャフト190と一体のワンピース構造として一体に形成されてもよい。さらには、本開示を逸脱することなく、任意の所望のグリップ材料、たとえばゴム材料、皮革材料、中に埋め込まれたコードまたは他の布材料を含むゴムまたは他の材料、ポリマー材料などを使用してもよい。
【００２１】
本開示を逸脱することなく、シャフト190は、当技術分野において公知であり、かつ使用されている従来のやり方を含む任意の適当なまたは所望のやり方でクラブヘッド100に受けられる、それと係合する、および／またはそれに取り付けられ得る。その使用可能な形態において、シャフト190は、ホーゼル180を介して、および／または直接クラブヘッド構造に、たとえば接着剤、セメント、溶接、はんだ付け、機械的コネクタ（たとえばねじ、保定要素など）などによって、ゴルフクラブヘッド100中に延びるシャフト受けスリーブまたは要素を介してなど、ゴルフクラブヘッド100と係合し得る。必要に応じて、シャフト190は、ヘッド上で一つのシャフトと別のシャフトとの容易な交換を可能にするために、機械的コネクタを使用して解放可能なやり方でヘッドに接続され得る。図2に例示されたゴルフクラブ199は、図1A〜1Dに示すものに類似したゴルフクラブヘッド100に連結された、グリップ195を一端に収容するシャフト190によって形成されている。しかし、明らかであるように、図2に示すゴルフクラブヘッドは左利き用のゴルフクラブヘッド100であり、一方、図1A〜1Dのゴルフクラブヘッドは右利き用のゴルフクラブヘッドである。そのようなものとして、本明細書に記載された特徴、構造および機構は、右利きおよび左利き両方のゴルファーおよびゴルフクラブに容易に適合可能であることが認識されるべきである。
【００２２】
図3A〜3Cは、重心インジケータ機構141を有するゴルフクラブヘッドの例示的な、リアから見た図である。より具体的に、図3A〜3Cには、例示的な3番アイアン（「3」と標識）、7番アイアン（「7」と標識）およびピッチングウェッジ（「P」と標識）が示されている。図3A〜3Cのゴルフクラブヘッド100それぞれは、重心ロケータ構造142、ここでは緯方向ストリップ143をそれぞれ含む重心インジケータ機構141A〜Cを収容している。図3A〜3Cに示す各ゴルフクラブヘッドはまた、クロスハッチ付き円形領域によって例示的に描かれた重心145を有する。ロング、ミドルおよびショートアイアンに関連して上述したものと一致して、重心は、諸特性の中でもとりわけ様々なショット飛距離、様々なボールの飛行経路および様々なスピンを達成するために、様々な位置に配置されている。ここでもまた、図3A〜3Cから明らかであるように、ロングアイアンタイプゴルフクラブヘッドは、ミドルおよびショートアイアンに比べて、重心145が概してよりヒール端150およびボトム（またはソール）160の近くに位置するように形成されている。対照的に、ショートアイアンの重心145は、ロングおよびミドルアイアンに比べて、よりゴルフクラブヘッド100のトウ端130の近くに位置している。最後に、ミドルアイアンの重心はこれらの領域の中間に当たる。
【００２３】
図4は、従来式に標識されたアイアンタイプゴルフクラブヘッド（3番アイアン〜ピッチングウェッジ）のセットの態様における、様々なゴルフクラブヘッドの様々な重心位置を例示する概略の、リアからも見た図である。しかし、ゴルフクラブセットは、1番アイアン、ロブウェッジ、サンドウェッジなどのようなアイアンを含む他のクラブを含むことが周知である。このセットにおいて、様々なアイアンの重心145は、3番アイアンの場合のもっともヒール端かつボトム寄りの重心位置から、ピッチングウェッジの場合のもっともトウ端かつトップ寄りの位置まで異なる。このセットにおいて、重心は、図示し、記載するように直線状に変わる、またはその傾向がある。
【００２４】
図3A〜3Cに戻ると、図示された様々なゴルフクラブヘッド（3、7、P）それぞれは別個の重心インジケータ機構141A〜Cを有している。概して、重心インジケータ機構141A〜Cそれぞれは、緯方向ストリップ143を、緯方向ストリップ内に配置された重心ロケータ構造142とともに備える。図示するように、いずれの様相においても、緯方向ストリップ143は、端部がカーブした略錠剤形または卵形を有するものとして示されている。さらに緯方向ストリップ143は、主として緯方向に走るが、ゴルフクラブヘッドのリアまたはリア表面においてその向きがいくぶん上に傾斜するように向く。それでもなお、適切に緯方向と特徴づけられる場合がある。本明細書において使用する緯方向ストリップとは、本明細書において例示し、記載するように、その最大寸法が地面に対して主に水平または左右方向に走るストリップである。緯方向ストリップ143は、ゴルフクラブヘッドがゴルファーによる一般的な使用においてゴルフボールの近くでアドレス位置に配置されたとき、ゴルフクラブヘッドおよび地面に対して多数の任意の角度に向けられる場合がある。さらに、図示された様相のいくつかにおいて、緯方向ストリップ143は、ゴルフクラブヘッドの上面に対して平行または実質的に平行に走る（たとえば、ユーザまたは観測者には平行に見える）ものとして特徴づけられてもよい。なおさらに、図3A〜3Bそれぞれの緯方向ストリップを図4に示す重心の連続移動と比較すると、緯方向ストリップは、この連続移動に対して平行に走っている。なおさらに、重心それぞれの連続移動が図3A〜3Cのゴルフクラブヘッド100のリア40に移されるならば、重心はすべての緯方向ストリップ内に位置するであろう。
【００２５】
図3A〜3Cの様相それぞれにおける重心ロケータ構造142は、円形または円板形と説明される場合がある。また、重心ロケータ構造142は、所与のクラブ様相の場合の重心145が円形または円板形の重心ロケータ構造142の中心を通過するように収容され、構成されている。ゴルフクラブヘッド100は、三次元ボディであるため、三次元座標／位置によって配置される重心を有している。したがって、本開示（上記および下記の両方）を通して重心145を示すクロスハッチ付き領域は、ゴルフクラブヘッドのリア140を横切ってゴルフクラブヘッドの重心を通過する軸上の点を例示する。多くの場合、三次元ボディの重心は、その位置が外からは見えないような、ボディ（たとえばゴルフクラブヘッド）内またはボディ内部分に位置している。リア表面に収容された重心ロケータ構造142は、外から見え、ゴルフクラブヘッド100の重心の位置に関する視覚的指示またはインジケータをゴルファーに提供するように構成されている。その際、ゴルファーは、ゴルフクラブのセット中の特定のゴルフクラブそれぞれに関して、ボールがどのように打たれるのか、およびボールの弾道、距離、スピンなどに対する予想される影響をより良く理解することができる。さらには、ゴルファーはまた、ゴルフクラブ199のバックスイングおよびダウンスイングにより、打面125を含むフロント面120によってボールを正しくかつ所望の位置および向きで打ち所望の結果が得られるよう、ゴルフクラブ199、特にゴルフクラブヘッド100をアドレス位置において調整することができる。
【００２６】
さらに、ゴルファーが視覚的インジケータまたは指示を受け入れやすくするために、図3A〜3Cの様相によって例示されるように、重心インジケータ機構141A〜Cは、緯方向ストリップ143および／またはゴルフクラブヘッド100の残り部分に対する重心ロケータ構造142の位置を除き、実質的に同じである場合がある。図3A〜3Cには3番アイアン、7番アイアンおよびピッチングウェッジだけが示されているが、当業者は、本明細書に示され、記載されたものに基づいて、ゴルフクラブセット中の残りのゴルフクラブもまた、図4の略図に示す重心145と一致するように配設、配向および／または配置された異なる重心ロケータ構造を有する場合があることを除き、図3A〜3Cに示すものに類似した重心インジケータ機構141を含み得ることを認識するであろう。図12は、そのようなゴルフクラブヘッドのセットの一つの様相を例示する。
【００２７】
さらに図3A〜3Cは、ゴルフクラブのセットから選択されたいくつかのクラブヘッドを例示する。ここで各ゴルフクラブは、主に、重心ロケータ構造142が、緯方向ストリップ143内に収容されるもののセット中のゴルフクラブヘッド100ごとに異なる位置、かつゴルフクラブのタイプ（たとえば番手／ロフト）ごとの重心位置に対応する様々な位置にあるという点で、セット中の他のゴルフクラブヘッド100の重心インジケータ機構とは別個の、重心インジケータ機構141を有する。そのようなものとして、ゴルフクラブヘッド（およびゴルフクラブ）のセットは、ゴルフクラブヘッド100ごとに異なる位置を有する重心ロケータ構造142を収容し包含する、一貫した緯方向ストリップ145を備える一貫した重心インジケータ機構141とともに形成されている。重心ロケータ構造142の位置は前記ゴルフクラブのセット内のゴルフクラブヘッドごとに異なるが、図3A〜3Cに示す重心ロケータ構造142および重心インジケータ機構141A〜Cは、一つのクラブが重心ロケータ構造142の移動に依存して別個の重心145を有するように変形され得る「変更可能」な様相ではなく、「固定」された様相として適切に特徴づけられている。したがって、これらの固定された重心インジケータ機構141は概して、ゴルフクラブヘッドの製造成形、鍛造または鋳造中に形成されるか、または当技術分野において公知であるように最初の組み立ての時点で他の方法で構築される。
【００２８】
図3A〜3Cに関連して上述した「固定」重心インジケータ機構141とは対照的に、図5A〜9Cは変更可能な重心インジケータ機構541を例示する。固定と変更可能との主な違いを「変更可能」な重心ロケータ構造541の移動能力に関して記載するものであるが、「固定」重心インジケータ機構141の特徴、特性および動作が変更可能な重心インジケータ構造541においても利用され、組み込まれてもよいことが留意され、理解されるべきである。その逆もまた真である。
【００２９】
図5A〜5Bは、変更可能な重心インジケータ機構を有する様々なゴルフクラブヘッドの例示的ヒール端斜視図である。ここでは、緯方向ストリップの中心内にトラック510が収容されている、二つの様相の変更可能な重心インジケータ機構541が示されている。トラック510は、緯方向ストリップ143の長手と平行に走り、重心ロケータ構造142をゴルフクラブヘッドのリア140に沿ってガイドされた移動により変更可能に移動させることを可能にするための数多くの公知のトラックタイプ構成のいずれかで形成され得る。後で示すように、トラック510に対して相補的な形状のフォロワ部材（図5A〜5Bには示さず）がトラック510を通過して移動してもよい。さらに、重心ロケータ構造142をゴルフクラブヘッド100に対して移動させるためには十分な外力が重心ロケータ構造に加えられなければならないような抵抗接続を介して重心ロケータ構造が取り付けられるように、重心ロケータ構造142をトラック510およびゴルフクラブヘッドのリア140上に可動的に収容してもよい。この抵抗接続は、ゴルフクラブの使用中にゴルフクラブヘッド100がスイング経路を通して動かされるとき重心ロケータ構造が過って移動することを防ぎ得る。
【００３０】
重心ロケータ構造142は、本明細書に記載されたものと一致する多様な構成および特性を有してもよい。たとえば一つの構成において、重心ロケータ構造142はコイン形であってもよい（図5A）。別の例示的構成において、重心ロケータ構造は、リア140と同一平面にフィットしていてもよい。さらに別の例示的構成において、重心ロケータ構造142は球状形またはドーム形を有してもよい（図5B）。重心ロケータ構造142はまた、高さまたは厚さがその中心から外、またはその外から中心に移動する範囲で、異なる輪郭を有してもよい。さらに特定の様相において、重心ロケータ構造は、重心ロケータ構造142がゴルフクラブヘッド100のリア140に沿って移動するとき、ゴルフクラブヘッドの重心もまた変わるように、形成されかつ配置されてもよい。したがって、重心145が、ゴルフクラブヘッドのリア140を横切りかつ重心ロケータ構造142の中心を通過する軸上にとどまるように、ゴルフクラブ100の重心は、重心145によって示されるように変化してもよい。または、ゴルフクラブヘッドの質量（または重量）の特定の部分（重心ロケータ構造142）の動きは、重心の再配置を徐々にしか変化させなくてもよく、特定の直線方向への特定の距離だけの重心ロケータ構造142の移動が、その特定の距離よりも少なくまたはわずかに変化した距離だけしか重心を移動させないという点で、重心ロケータ構造142の位置は重心の位置と絶えず1対1の関係で対応しなくてもよい。図6は、変更可能な重心インジケータ機構541の、重心ロケータ構造142の、直線上の移動および前後への移動を例示する。ここでは、緯方向ストリップ内の重心ロケータ構造142の破線または仮想線表示が、ユーザまたはゴルファーが該構造をどこに配置することを望むのかに依存して様々である位置にある、重心ロケータ構造142の様々な潜在的位置を示す。したがって、一つのクラブに対し、ゴルファーおよび他のユーザがゴルフクラブヘッドの重心145の位置を調節することを可能にする際のさらなる調節可能性が提供される。さらには、ある態様における重心ロケータ構造では、重心ロケータ構造142のすべての様々な位置に関して、重心ロケータ構造の中心145を通過して延びゴルフクラブヘッドのリア140を横切る軸上に重心がとどまるように、ゴルフクラブヘッドが構成されかつウェイト付けされる。さらに特定の態様においては、ゴルフクラブヘッドの重心は、一貫して重心ロケータ構造142の中心にとどまるのではなく、ゴルフクラブヘッド100のリア140を横切る軸上に位置してもよい。軸は、変更可能な重心インジケータ機構541における重心ロケータ構造の位置または配置に依存して、重心ロケータ構造142の様々な斜め部分を通過し得る。そのような構成において、重心ロケータ構造142の上部によって形成される区域は、ゴルフクラブヘッドのリア140を横切り重心145を通過する軸が必ずしも重心ロケータ構造142の中心に整合しないとしても、なおもその周囲内で重心ロケータ構造142と交差するような、十分な区域を提供する。そのようなものとして、重心ロケータ構造142は、ゴルファーが重心ロケータ構造142を移動させることによって重心位置を変えたときでも、ゴルファーがなおもその重心がどこに再配置されたのかに気づくことができるような異なるやり方で、ゴルファーへの視覚的��援をうまく提供する。
【００３１】
図7A〜7Bはそれぞれ、変更可能な重心インジケータ機構を有するゴルフクラブヘッドの、リアから見た図およびヒール端断面図である。図7A〜7Bの様相において、変更可能な重心ロケータ構造142は、ゴルフクラブヘッドのリア表面140上の緯方向ストリップ143に滑動可能に連結されている。より具体的には、ここでは、重心ロケータ構造142の外縁の部分が緯方向ストリップ143に滑動可能に連結されて、ゴルファーの好みに依存して、ゴルフクラブヘッド100のリア140を横切るような前後への移動を容易にしている。ここで、緯方向ストリップ143の上縁710および下縁760は、重心ロケータ構造142の外縁747を収容するように構成されている。図7Bに明らかであるように、一つの様相において、重心ロケータ構造142を移動させた結果として、緯方向ストリップと整合した経路中での重心ロケータ構造142のガイドされた移動を許容し、ゴルファーが重心145の位置を移動するかまたは他のやり方で変えることが可能となるために、重心ロケータ構造142の外縁747上に収容されたフォロワ部材748が、緯方向ストリップ143の上下のトラックまたは切り欠き715、765に対して相補的な形状で形成されてもよい。図7A〜7Bにおいて、フォロワ部材748および相補的切り欠き715、765は、フォロワ部材748がゴルフクラブヘッド100の中にゴルフクラブヘッドのフロント面120またはフェースの方向に延びるように向けられているが、他の構成が意図され、利用されてもよい。たとえば、具体的には示さないが、フォロワ748はまた、反対の方向にトップ110およびボトム160へ向かって延び、ゴルフクラブヘッドのリア140に対していくぶん平行であってもよい。したがって、切り欠きは、重心ロケータ構造142の外縁747の外側のゴルフクラブヘッドのリア140中のリップであってもよく、ゴルフヘッド100のリア140の側壁中に切り込まれた溝であるとして説明されてもよい。そのようなものとして、フォロワ748それぞれは、ゴルフクラブヘッド100の内部材料の領域の間に「サンドイッチ式」にそれぞれ収容され得るが、それでもなお、溝、トラックまたは切り欠き715、765中で滑動するとき、緯方向ストリップ143の長手方向に前後する移動を可能にする。したがって、重心ロケータ構造142は、ゴルフクラブヘッド100のリア140に対して保持されることができるが、なおも移動することが許容される。
【００３２】
二重のトラックおよびフォロワ部材を有する図7A〜7Bに例示する構成と同様に、図8A〜8Bはそれぞれ、変更可能な重心インジケータ機構541を有するゴルフクラブヘッド100の別の態様の例示的な、リアから見た図およびヒール端断面図である。この特定の構成においては、重心ロケータ構造142がその外縁においてゴルフクラブヘッド100のリア140および緯方向ストリップ143に連結されるのではなく、一つのフォロワ部材848が、緯方向ストリップ143内の中央に収容された一つのトラックまたは切り欠き815に沿って走るように構成され、連結されている。ここで、図7A〜7Bの様相と同じく、重心ロケータ構造142および緯方向ストリップ143の特定の形状、サイズおよび他の特徴は、以下さらに記載するように多様な特徴をとり得る。
【００３３】
重心インジケータ機構141を有するゴルフクラブヘッドのさらに別の様相が図9A〜9Bに例示されている。ここでは、重心ロケータ構造142がゴルフクラブヘッドの100のリア140上の緯方向ストリップ143内の様々な位置に滑動される滑動可能な機構として構成されるのではなく、ゴルフクラブヘッドの100のリア140が、重心ロケータ構造142の下部から突出して該下部に収容された取り付け部材948を受けるようにサイズ決めされ配設された、いくつかの重心ロケータ構造142取り付け穴915を含む。この様相において、緯方向ストリップ143内に配置された重心ロケータ構造取り付け穴915の一つの中に取り付け部材948が押し込まれるような力を重心ロケータ構造に加えることにより重心ロケータ構造をゴルフクラブヘッドのリア表面にスナップ嵌めすることによって、重心ロケータ構造をゴルフクラブヘッドのリアに連結してもよい。この構成において、一つのクラブの重心145の位置は、速やかかつ容易にスナップ嵌めを解除し、次に重心ロケータ構造142を別の位置に再びスナップ嵌めすることによって変更し得る。ゴルフクラブヘッド100および重心ロケータ構造は、重心ロケータ構造142のこの再配置がゴルフクラブヘッド100全体の重心145を相応に移動させるように構成され、かつウェイト付けされているため、ゴルフクラブヘッド100は、速やかかつ簡単なやり方で変更可能であるが、なおも重心ロケータ構造142により、重心の位置に関する視覚的インジケータをゴルファーに提供する。
【００３４】
本開示を通して示したような緯方向ストリップ143および重心ロケータ142の特徴は、とりわけ、ゴルフショットを打つ際にゴルファーを支援する改善されたアラインメントおよび視覚的指示を相応にゴルファーに提供し得る。より具体的には、重心145の位置（たとえば、クラブのボトムからの高さ、およびトウ端寄りまたはヒール端寄りのようなクラブ上の位置）を知ることは、ゴルファーが、ゴルファーのスイングおよび打面との接触がボールをどのように移動させるのかをより良く理解することを可能にする。衝突点における、およびスイング中のボールに対する重心の位置が、上記のように結果的なゴルフショットにおけるボールの距離、弾道および／またはスピンに影響するため、上記特徴の構成は、特定のゴルフショット特性を達成するように変更され、利用されてもよい。
【００３５】
図10A〜10Cは、重心インジケータ機構を有するゴルフクラブヘッドの例示的な、リアから見た図である。図から明らかであるように、図10Bおよび10Cに示すような特定の様相において、緯方向ストリップは、重心の視覚的指示を容易にし、かつ重心位置の可変性を促進するために多様な形状または構成のいずれかを有してもよい。たとえば図10Bのように、増強された視覚的インジケータをゴルファーに提供して、ゴルフクラブを使用するゴルファーのアラインメントおよびスイングを容易にするために、長方形の緯方向ストリップ143BがX字形の重心ロケータ142とともに使用してもよい。さらには、重心ロケータ構造142のX字形は、アラインメント目的のための増強された視覚的印象を提供すると同時に、重心ロケータ構造が緯方向ストリップ143内の経路を通って前後に動くときに重心145の配置とより良く相関することができるような、重心ロケータ構造142のウェイト付けを可能にする。たとえば、「X」の様々な枝部分は、異なる重さを有する異なる材料で作製されていることができる。さらに緯方向ストリップは、多様な形状および輪郭で形成されてもよい。図10Cから明らかであるように、重心ロケータ構造142が変更可能に緯方向ストリップ143内に収容された状態で、緯方向ストリップ143はカーブした形または「バナナ形」に形成され得る。さらに緯方向ストリップ143は、平坦な長方形キャビティ、「ハーフパイプ」または盛り上がったストリップを含む多様な輪郭を有して、くり抜かれるか、またはキャビティ形であってもよい。これら特定の形状および構成は例示的に提供され、記載されたものと一致する様々な形状および構成が考えられる。したがって、緯方向ストリップ143は、特定のスイングのゴルファーのために選択的に成形および調整され得る。異なるタイプのゴルファーは、特定のスイングパフォーマンスを最適化するために異なる重心配置を有するゴルフクラブヘッドを必要とする場合があるため、たとえば、クラブセットを通してひどい「スライス」を打つ傾向にあるゴルファーは、各ゴルフクラブにおいて、プロまたは低ハンデゴルファーとは異なるような重心インジケータ機構141を備えるゴルフクラブヘッド100を必要とする、または望む場合がある。同様に、レスキュークラブまたは他の特殊用途クラブにおいて望まれる場合があるため、ゴルフクラブヘッドまたはゴルフクラブヘッドのセットは、バックスピンまたは有意なフェードもしくはスライスを含み得る、ショット成形またはトリックショット能力でさえも高めるかまたは促進するために成形および形成されたこれら記載の特徴を有する場合がある。
【００３６】
図10B〜Cおよび本開示の他の図面から明らかであるように、緯方向ストリップ143の形状、サイズ、向き、位置および／または構成はさらに、単独で、および視覚的インジケータとしての重心ロケータ構造142と組み合わさって、ゴルフクラブを使用する際にゴルファーを支援するように貢献する。たとえば、図示されたいくつかの構成において、緯方向ストリップ143は概して、ゴルフクラブヘッドの上面110と平行に走り、かつ重心ロケータ構造142は、セットを通して重心が位置に関して移動するように固定される場合であっても、または一つのクラブヘッド上で位置を変え得る場合であっても、同じアラインメントを通して移動／シフトする。したがって、重心ロケータ構造142はクラブのセットなどを通して緯方向ストリップ143内で位置が変わるため、緯方向ストリップ143は、固定された基準バックグラウンドを提供し、それによって、一つのクラブ上のその様々な位置またはセットを通して変えられるものとしてのその様々な位置のいずれにおいても、重心ロケータ構造142の視覚的印象を増強し得る。また、重心インジケータ機構141はまた、本明細書に記載されるように、重心ロケータ構造142が緯方向ストリップなしで図10Aに示すようにゴルフクラブヘッドの従来のリア140などに連結された状態で構成されてもよい。
【００３７】
変更可能な重心インジケータ機構541を有する各ゴルフクラブヘッド、たとえば図5A〜10Cの様相において、重心ロケータ構造142は、抵抗接続によって示されたものと一致して、移動可能に連結され得る。このような抵抗接続構成においては、一つのトラックおよびフォロワ構造、もしくは一対のトラックおよびフォロワ構造、または類似した様相が、重心ロケータ構造142を移動させるためには外力を加える必要があるように構成されている。さらに抵抗接続は、些細なまたは偶発的な力が重心ロケータ構造をゴルフクラブヘッドのリア140に対するその現在位置から移動させないように構成されているため、十分な力を加えなければならない。そのようなものとして、ゴルフクラブのスイングは概して、重心ロケータ構造142を偶発的に不適切な位置に移動させることはない。抵抗接続は、当技術分野において公知の多数の構成のいずれかで達成し得る。先に示し、記載したトラックおよびフォロワ構成は、それらが摩擦的に係合し、移動を生じさせるためには最小限のしきい外力しか要しないように、ぴったり嵌るようにサイズ決めされ、成形され得る。さらには、当技術分野において公知であるような実質的にあらゆるタイプの、互いに対して移動する二つの構造の間の摩擦を増す他の滑動および回転機構が、本明細書に記載されているものと一致して使用され得る。
【００３８】
図11A〜11Cは、重心ロケータ構造142を含む重心インジケータ機構141を備えるゴルフクラブヘッドの例示的な、リアから見た図である。ここで、各重心ロケータ構造142A〜Cは、視認性を増強する特徴242A〜Cを有するものとして示されている。視認性を増強する特徴242A〜Cは、ゴルファーが特定のゴルフクラブヘッドの重心位置を速やかかつ容易に視認することができるよう、重心ロケータ構造142A〜Cの改善された視覚的位置を提供する多様な特定の構造的および／または表面様相を含み得る。ここで例示目的のために、視認性を増強する特徴242Aは、重心ロケータ構造142Aに適用されるか、またはその中に組み込まれた反射面である。この反射面242Aは、スイングおよびゴルフショットを打つ前にゴルフボールをアドレスする他の局面の前ならびにゴルフショット中に、ゴルファーの目を引き、重心に注目させて、アラインメント、スイング経路の視覚化を容易にする。視認性を増強する特徴242Bは、あるいは（またはさらには）、重心ロケータ構造142Bのパターン付けされた面であり得る。実質的にあらゆるパターンまたはしるしがそのようなやり方で利用されてもよい。最後に、この構成における視認性を増強する特徴242Cは、重心ロケータ構造142C上に収容された溝付き面であることができる。肌理、色または外観の変化がほとんどまたはまったくない連続的な平坦面に比べ、表面上の様々な輪郭は人の目によって速やかに認識されるため、溝付き面242Cもまた、ゴルファーによる構造の視認を容易にする。さらには、重心145のクロスハッチ付き表示もまた、本明細書に記載されるような視認性を増強する特徴として働き得る。当技術分野において公知であるような多くの他の構造、表面および特徴が考えられる。
【００３９】
本発明は、多様な態様を参照して上記および添付図面に開示されている。記載された様々な構成における部分および特徴は、本明細書に記載されたものと一致する様々な方法で組み合わされる、切り離される、または他のやり方で使用されるものと考えられる。しかし、態様の開示によって果たされる目的は、本発明において具現化される様々な局面の例を提供することであり、本発明の範囲を限定することではない。当業者は、特許請求の範囲によって画定される本発明の範囲を逸脱することなく、数多くの変形および改変が態様に対して加えられる場合があることを理解するであろう。
【図１Ａ】
2013505773.tif 000004
【図１Ｂ】
2013505773.tif 000005
【図１Ｃ】
2013505773.tif 000006
【図１Ｄ】
2013505773.tif 000007
【図２】
2013505773.tif 000008
【図３】
2013505773.tif 000009
【図４】
2013505773.tif 000010
【図５】
2013505773.tif 000011
【図６】
2013505773.tif 000012
【図７】
2013505773.tif 000013
【図８】
2013505773.tif 000014
【図９】
2013505773.tif 000015
【図１０】
2013505773.tif 000016
【図１１】
2013505773.tif 000017
【図１２】
2013505773.tif 000018
【国際調査報告】
2013505773.tif 000019
2013505773.tif 000020
2013505773.tif 000021